(57)【要約】【課題】本線系の画像信号に影響を及ぼすことなく、フォーカス調整時に画面に拡大表示される画像の解像度を向上させる。【解決手段】第１の現像部は、撮像素子で生成された画像信号から第１の解像度を有する第１の画像データを生成する。第２の現像部は、撮像素子で生成された画像信号又は第１の画像データから、第１の解像度よりも低い第２の解像度を有する第２の画像データを生成する。表示処理部は、撮影画像の確認用の画面に表示させる範囲として、第１の画像データによる画像又は第２の画像データによる画像から切り出す領域の大きさに応じて、第１の画像データと、第２の画像データのうちいずれか一方の画像データを選択し、選択した画像データを用いて表示用画像を生成する。【選択図】図２
2014096749.tif 000002
【特許請求の範囲】
【請求項１】
レンズによって取り込まれた被写体光を光電変換して画像信号を生成する撮像素子と、
前記撮像素子で生成された画像信号から第１の解像度を有する第１の画像データを生成する第１の現像部と、
前記撮像素子で生成された画像信号又は前記第１の画像データから、前記第１の解像度よりも低い第２の解像度を有する第２の画像データを生成する第２の現像部と、
前記撮像素子による撮影画像の確認用の画面に表示させる範囲として、前記第１の画像データによる画像又は前記第２の画像データによる画像から切り出す領域の大きさに応じて、前記第１の現像部が生成した第１の画像データと、前記第２の現像部が生成した第２の画像データのうちいずれか一方の画像データを選択し、前記選択した画像データを用いて、前記撮影画像の確認用の画面に表示させる表示用画像を生成する表示処理部とを備えた
撮像装置。
【請求項２】
前記表示処理部は、前記第１の画像データ又は前記第２の画像データの各画素を間引く処理又は補間する処理を行うことにより、前記表示用画像を生成する
請求項１に記載の撮像装置。
【請求項３】
前記表示処理部は、操作部を介してユーザより入力されるズーム倍率が、所定の倍率である第１の倍率に至るまでの間は、前記第２の画像データを用いて前記表示用画像を生成し、前記ズーム倍率が前記第１の倍率を超えた場合に、前記第１の画像データを用いて前記表示用画像を生成する
請求項２に記載の撮像装置。
【請求項４】
前記表示処理部は、前記第１の画像データと前記第２の画像データのうちいずれか１つを選択する選択部と、
前記選択部で選択された画像データによる画像から、前記撮影画像の確認用の画面に表示させる領域の画像を切り出す切り出し処理部と、
前記切り出し処理部で切り出された画像の解像度を、前記撮影画像の確認用の画面の表示解像度に合わせる調整を行う解像度調整部とを有する
請求項３に記載の撮像装置。
【請求項５】
前記操作部を介してユーザより入力されるズーム倍率に基づいて制御信号を生成し、生成した前記制御信号を、前記表示処理部の選択部と、前記切り出し処理部と、前記解像度調整部に供給する制御部をさらに備える
請求項４に記載の撮像装置。
【請求項６】
前記第１の倍率とは、前記表示処理部の前記切り出し処理部で切り出された画像の解像度が、前記撮影画像の確認用の画面の表示解像度と等しくなる倍率である
請求項５に記載の撮像装置。
【請求項７】
レンズによって取り込まれた被写体光を光電変換して画像信号を生成することと、
前記生成された画像信号から第１の解像度を有する第１の画像データを生成することと、
前記画像信号又は前記第１の画像データから、前記第１の解像度よりも低い第２の解像度を有する第２の画像データを生成すること、
撮影画像の確認用の画面に表示させる範囲として、前記第１の画像データによる画像又は前記第２の画像データによる画像から切り出す領域の大きさに応じて、前記第１の画像データと前記第２の画像データのうちのいずれか一方の画像データを選択し、前記選択した画像データを用いて前記撮影画像の確認用の画面に表示させる表示用画像を生成することとを含む
画像処理方法。
【発明の詳細な説明】
【技術分野】
【０００１】
本開示は、撮像装置及び画像処理方法に関し、特に撮影画像確認用の画面に表示される画像を拡大表示する技術に関する。
【背景技術】
【０００２】
従来、撮影中の画像におけるフォーカス位置の確認や調整を行う目的で、ビューファインダやモニタに表示中の画像を、拡大表示させることが行われている。画像を拡大して表示することで、被写体の微細な箇所を確認しながらフォーカス調整を行えるようになる。しかし、ビューファインダやモニタに表示される画像の解像度は、撮像素子で得られた画像信号による画像の解像度よりも低いことが通常である。ビューファインダやモニタの表示解像度に合わせて、撮像素子で得られた画像信号を水平方向及び／又は垂直方向に間引く処理が行われているためである。
【０００３】
このため、ビューファインダやモニタに表示させる画像の表示のズーム倍率を高くするほど、画面に表示される画像の解像度も落ち、被写体の細部を確認し辛くなってしまう。ズーム倍率を上げた時にも高精細な画像を画面に表示させる技術として、特許文献１には、ズーム倍率が低い間は光学ズームによるズームを行い、ズーム倍率が高くなった時点で電子ズームに切り換える手法が記載されている。
【先行技術文献】
【特許文献】
【０００４】
【特許文献１】特開２００４−７２２７８号公報
【発明の概要】
【発明が解決しようとする課題】
【０００５】
ところが、特許文献１に記載の技術のように光学ズームを用いると、記録装置等に記憶される本線系の画像信号にも影響が及んでしまう。つまり、フォーカス調整を行う目的で画面に表示中の画像を拡大させることで、実際のフォーカスの位置も変更されてしまう。
【０００６】
本開示はかかる点に鑑みてなされたものであり、本線系の画像信号に影響を及ぼすことなく、フォーカス調整時に画面に拡大表示される画像の解像度を向上させることを目的とする。
【課題を解決するための手段】
【０００７】
上記課題を解決するために、本開示の撮像装置は、撮像素子と、第１の現像部と、第２の現像部と、表示処理部とを備える構成とし、各部の構成及び機能を次のようにする。撮像素子は、レンズによって取り込まれた被写体光を光電変換して画像信号を生成する。第１の現像部は、撮像素子で生成された画像信号から第１の解像度を有する第１の画像データを生成する。第２の現像部は、撮像素子で生成された画像信号又は第１の画像データから、第１の解像度よりも低い第２の解像度を有する第２の画像データを生成する。表示処理部は、撮像素子による撮影画像の確認用の画面に表示させる範囲として、第１の画像データによる画像又は第２の画像データによる画像から切り出す領域の大きさに応じて、第１の現像部が生成した第１の画像データと、第２の現像部が生成した第２の画像データのうちいずれか一方の画像データを選択し、選択した画像データを用いて撮影画像の確認用の画面に表示させる表示用画像を生成する。
【０００８】
また、本開示の画像処理方法は、以下の順に処理を行う。まず、レンズによって取り込まれた被写体光を光電変換して画像信号を生成する。続いて、画像信号から第１の解像度を有する第１の画像データを生成する。画像信号又は第１の画像データから、第１の解像度よりも低い第２の解像度を有する第２の画像データを生成する。続いて、撮影画像の確認用の画面に表示させる範囲として、第１の画像データによる画像又は第２の画像データによる画像から切り出す領域の大きさに応じて、第１の画像データと第２の画像データのうちのいずれか一方の画像データを選択する。そして、選択した画像データを用いて撮影画像の確認用の画面に表示させる表示用画像を生成する。
【０００９】
以上のように撮像装置を構成し、画像処理を行うことで、光学ズームを用いることなく、撮影画像の確認用の画面に表示させる表示用画像が生成される。また、表示用画像の生成に、解像度の高い第１の画像データが使用されるため、撮影画像の確認用の画面に表示される画像が拡大された場合にも、画質が劣化しない。
【発明の効果】
【００１０】
本開示の撮像装置及び画像処理方法によれば、本線系の画像信号に影響を及ぼすことなく、フォーカス調整時に画面に拡大表示される画像の解像度を向上させることができる。
【図面の簡単な説明】
【００１１】
【図１】本開示の一実施形態例による撮像装置の構成例を示すブロック図である。
【図２】本開示の一実施形態例による、ズーム表示処理部による処理の例を説明する説明図である。
【図３】本開示の一実施形態例による、ズーム表示処理部の構成例を示すブロック図である。
【図４】本開示の一実施形態例による、ズーム表示処理部による処理の例を示す説明図である。
【図５】本開示の一実施形態例による、切り出し処理部及び解像度調整部による処理の例を示す説明図であり、Ａはズーム倍率が１倍のときの処理を示し、Ｂはズーム倍率が１．５倍のときの処理を示し、Ｃはズーム倍率が２倍のときの処理の例を示す。
【図６】本開示の一実施形態例による、切り出し処理部及び解像度調整部による処理の例を示す説明図であり、Ａはズーム倍率が２倍のときの処理を示し、Ｂはズーム倍率が４倍のときの処理を示し、Ｃはズーム倍率が８倍のときの処理の例を示す。
【図７】本開示の一実施形態例による、各画像処理におけるセレクタの切り替え処理の例を示す説明図である。
【発明を実施するための形態】
【００１２】
本開示の一実施形態に係る撮像装置の一例を、図面を参照しながら下記の順で説明する。
１．撮像装置の構成例
２．ズーム表示処理部の構成例
３．ズーム表示処理部の処理の例
４．各種変形例
【００１３】
＜１．撮像装置の構成例＞
図１は、本実施の形態例による撮像装置１００の構成を示すブロック図である。撮像装置１００は、フォーカスレンズやズームレンズ等を含むレンズ１と、撮像素子２と、信号処理回路３とを備える。レンズ１には、不図示のシャッタ、アイリス等が含まれており、被写体光を撮像素子２の撮像領域（図示略）に結像させる。また、レンズ１には、各種レンズの光軸方向における位置を移動させるレンズ駆動部（図示略）が含まれる。レンズ１は、撮像装置１００の使用環境によって適宜取り替え可能である。
【００１４】
撮像素子２は、レンズ１を通してその撮像領域に結像された被写体光を光電変換して、画像信号を生成する。撮像素子２の撮像領域には、不図示の画素がマトリクス状に配置されており、各画素の前面には、例えばベイヤ方式で配列された色フィルタが配置されている。つまり、撮像素子２からは、Ｒ（赤），Ｇ（緑），Ｂ（青）の画像信号が出力される。撮像素子２は、例えば、ＣＣＤ（Charge Coupled Device Image Sensor）素子やＣＭＯＳ（Complementary Metal Oxide Semiconductor Image Sensor）素子で構成される。また、その解像度は、例えば４Ｋ（４０９６×２１６０画素：第１の解像度）であるものとする。なお、本明細書で「解像度」と述べたときには、画像の画素数から決まる解像度を示す。したがって、解像度は画像の画素数（画サイズ）に比例する。
【００１５】
信号処理回路３は、撮像素子２で得られた画像信号に所定の信号処理を施す。信号処理回路３の詳細については後述する。また、撮像装置１００は、システム制御部４と、操作部５とを有する。システム制御部４はＣＰＵ（Central Processing Unit）等よりなり、当該撮像装置１００を構成する各部を制御する。操作部５は、ボタンやつまみ、スイッチ等のＵ／Ｉ（User Interface）を有し、ユーザによるＵ／Ｉに対する操作内容に応じた操作信号を生成してシステム制御部４に供給する。操作部５には、フォーカスの調整を行うフォーカスリングも含まれ、ユーザによってフォーカスリングを回転させる動作が行われた際には、回転量に応じたズーム倍率を算出してシステム制御部４に供給する。
【００１６】
また、撮像装置１００は、コーデック６と、メディアＩ／Ｆ７と、リムーバブルメディア８とを備える。コーデック６は、画像データの符号化又は復号を行う。メディアＩ／Ｆ７は、リムーバブルメディア８が差し込まれるインタフェースであり、リムーバブルメディア８への画像データの書き込み処理又は読み出し処理を行う。リムーバブルメディア８は、例えばメモリカード等よりなり、コーデック６で符号化された画像データが記憶される。
【００１７】
また、撮像装置１００は、ビューファインダ９と、ＬＣＤ１０とを備える。ビューファインダ９は、例えば液晶ディスプレイで構成され、撮像素子２で撮像された画像が表示される。ビューファインダ９の表示解像度（表示画素数）は、例えば１Ｋ（１０２４×５４０画素）であるものとする。ＬＣＤ１０は、例えば液晶ディスプレイで構成され、撮影に関する設定項目や、撮像素子２で撮像された画像が表示される。
【００１８】
次に、同じく図１を参照して、信号処理回路３の詳細について説明する。信号処理回路３には、補正部３１と、色分離部３２と、第１の現像部３３と、解像度変換部３４と、第２の現像部３５と、表示処理部としてのズーム表示処理部３６とが含まれる。
【００１９】
補正部３１は、撮像素子２で得られた画像信号に、欠陥補正やシェーディング補正、ホワイトバランス処理等の各種補正処理を施す。色分離部３２は、補正部３１で補正が施された画像信号に対して色分離処理を行い、ＲＧＢ信号を生成する。第１の現像部３３は、色分離部３２で生成されたＲＧＢ信号にガンマ補正や輪郭補正、ホワイトバランス調整等を行い、これらの調整が行われたＲＧＢ信号をＹＣ信号に変換して画像データ（第１の画像データ）を生成する。第１の画像データの解像度は、撮像素子２で得られた画像信号が有する解像度と同じ４Ｋとなる。
【００２０】
解像度変換部３４は、色分離部３２で生成されたＲＧＢ信号の解像度を変換する。例えば、４Ｋを２Ｋ（２０４８×１０８０画素：第２の解像度）に変換する。解像度を４Ｋから２Ｋに変換する処理は、例えば、信号処理回路３の各部間でやりとりされるデータの経路である、バス４２の帯域を節約する目的で行われる。第２の現像部３５は、解像度変換部３４で解像度が２Ｋに変換されたＲＧＢ信号をＹＣ信号に変換して画像データを生成する。
【００２１】
ズーム表示処理部３６は、第１の現像部３３で現像された４Ｋの画像データＰ１、又は第２の現像部３５で生成された２Ｋの画像データＰ２を用いて、後述するビューファインダ９に表示させる表示用画像を生成する。
【００２２】
また、信号処理回路３には、制御部３７と、コーデックＩ／Ｆ３８と、ビューファインダ（図ではＶＦと表記）Ｉ／Ｆ３８と、ＬＣＤＩ／Ｆ４０と、モニタＩ／Ｆ４１と、メモリ４３が含まれる。制御部３７は、システム制御部４による制御に基づいて、信号処理回路３を構成する各ブロックの制御を行う。コーデックＩ／Ｆ３８は、コーデック６と信号処理回路３とのインタフェースであり、ビューファインダＩ／Ｆ３９は、ビューファインダ９と信号処理回路３とのインタフェースであり、ＬＣＤＩ／Ｆ４０は、ＬＣＤ１０と信号処理回路３とのインタフェースである。モニタＩ／Ｆ４１は、例えば４Ｋ又は２Ｋの画像を表示可能なモニタ１１が接続される、モニタ１１と信号処理回路３とのインタフェースである。
【００２３】
メモリ４３は、例えばＳＤＲＡＭ（Synchronous Dynamic Random Access Memory）等よりなるフレームバッファである。メモリ４３には、信号処理回路３の各部で処理が行われる画像が一時的に記憶される。上述した信号処理回路３を構成する各部は、バス４２を介して接続されている。
【００２４】
＜２．ズーム表示処理部の構成例＞
次に、図２及び図３を参照して、ズーム表示処理部３６の構成例について説明する。ズーム表示処理部３６とは、図２に示すように、４Ｋの画像データＰ１又は２Ｋの画像データＰ２による画像の画サイズを拡大又は縮小することにより、ビューファインダ９（図１参照）に表示させるための表示用画像Ｐ３を生成する処理を行うものである。表示用画像Ｐ３の解像度は、ビューファインダ９の表示解像度である１Ｋとなる。
【００２５】
図３は、ズーム表示処理部３６の構成例を示すブロック図である。ズーム表示処理部３６は、選択部３６ａと、切り出し処理部３６ｂと、解像度調整部３６ｃと、制御部３６ｄとよりなる。
【００２６】
選択部３６ａは、第１の現像部３３から出力される４Ｋの画像データＰ１と、第２の現像部３５から出力される２Ｋの画像データＰ２のうち、いずれか一方を選択して出力するセレクタである。切り出し処理部３６ｂは、選択部３６ａで選択された画像データによる画像より、拡大表示すべき領域を抽出して切り出す（トリミングする）処理を行う。解像度調整部３６ｃは、切り出し処理部３６ｂで切り出された画像の解像度を、ビューファインダ９の画面の表示解像度に合わせて高くしたり、低くしたりする処理を行う。言い換えると、切り出し処理部３６ｂで切り出された画像のサイズを、ビューファインダ９の画面のサイズに合わせて縮小したり拡大したりする処理を行う。つまり、切り出し処理部３６ｂと解像度調整部３６ｃとで、電子ズームの手法を用いたズーミングを行っている。
【００２７】
制御部３６ｄは、操作部５（図１参照）を介してユーザより入力されるズーム倍率に基づいて制御信号を生成し、生成した制御信号を、選択部３６ａと、切り出し処理部３６ｂと、解像度調整部３６ｃに供給する。具体的には、選択部３６ａに対しては、選択する画像データを指示する制御信号を生成して供給し、切り出し処理部３６ｂに対しては、切り出す範囲を指定する制御信号を生成して供給する。また、解像度調整部３６ｃに対しては、解像度の拡大率又は縮小率を指定する制御信号を生成して供給する。なお、制御部３６ｄは設けずに、制御部３６ｄに行わせる処理を制御部３７（図１参照）に行わせてもよい。
【００２８】
＜３．ズーム表示処理部の処理の例＞
次に、ズーム表示処理部３６の処理の例について、図４〜図７を参照して説明する。図４は、ズーム表示処理部３６による処理と、ユーザより入力されるズーム倍率との対応を示す説明図である。図４の縦軸は、切り出し処理部３６ｂで切り出された切り出し画像の画素数を示し、横軸はズーム倍率を示す。また、図４において、２Ｋの画像データＰ２の画素数を実線で示し、４Ｋの画像データＰ１の画素数を破線で示している。
【００２９】
ズーム倍率が、１倍から第１の倍率である２倍までの間は、選択部３６ａでは２Ｋの画像データＰ２が選択され、切り出し処理部３６ｂによって、画像データＰ２による画像から所定の領域をトリミングする処理が行われる。また、解像度調整部３６ｃでは、切り出し画像のサイズを縮小して、ビューファインダ９に表示させるための表示用画像Ｐ３を生成する処理が行われる。切り出し画像のサイズの縮小は、例えば、切り出し画像の画素数を間引くことにより行う。
【００３０】
ズーム倍率が２倍となった時点で、選択部３６ａで選択される画像データは、２Ｋの画像データＰ２から４Ｋの画像データＰ１に切り替えられる。そして、切り出し処理部３６ｂによって、画像データＰ１による画像から所定の領域をトリミングする処理が行われる。解像度調整部３６ｃでは、ズーム倍率が２倍から４倍までの間は、切り出し画像のサイズを縮小して表示用画像Ｐ３を生成する処理が行われる。４倍以降は、切り出し画像のサイズを拡大して表示用画像Ｐ３を生成する処理が行われる。切り出し画像のサイズの拡大は、例えば、足りない画素を補間する処理によって行う。
【００３１】
図５及び図６は、切り出し処理部３６ｂ及び解像度調整部３６ｃによる処理の例を示す説明図である。図５Ａ〜図５Ｃ及び図６Ａ〜図６Ｃにおいて、左側の画像は選択部３６ａから出力される画像を示し、右側の画像は、ビューファインダ９に表示される表示用画像Ｐ３を示す。左側の画像において破線の枠で示された範囲は、切り出し処理部３６ｂによって切り出される範囲を示す。右側の画像の下の部分には、ユーザによって指定されるズーム倍率を示している。
【００３２】
ズーム倍率が１倍の時は、図５Ａに示すように、解像度調整部３６ｃは、２Ｋの画像データＰ２による画像のサイズを１Ｋに縮小して表示用画像Ｐ３を生成する。画像のサイズの縮小は、例えば、画像データに含まれる画素を水平方向及び／又は垂直方向に間引くことによって行う。
【００３３】
ズーム倍率が１．５倍の時には、図５Ｂに示すように、拡大表示されるべき領域が切り出し処理部３６ｂによって切り出されて、切り出し画像Ｐｃが生成される。ズーム倍率が１．５倍のときには、２Ｋの画像データＰ２から生成された切り出し画像Ｐｃのサイズは、ビューファインダ９の表示解像度である１Ｋよりも大きい。このため、解像度調整部３６ｃでは、切り出し画像Ｐｃのサイズを縮小することにより、ビューファインダ９に表示させるための表示用画像Ｐ３が生成される。
【００３４】
ズーム倍率が２倍の時にも、図５Ｃに示すように、拡大表示されるべき領域が切り出し処理部３６ｂによって切り出されて、切り出し画像Ｐｃが生成される。ズーム倍率が２倍のときには、２Ｋの画像データＰ２から生成された切り出し画像Ｐｃのサイズは、ビューファインダ９の表示解像度である１Ｋと等しくなる。このため、解像度調整部３６ｃでは、切り出し画像Ｐｃのサイズを変更することなく、そのままのサイズで表示用画像Ｐ３が生成される。
【００３５】
そして、ズーム倍率が２倍を超えた時点で、選択部３６ａで選択される画像データは、２Ｋの画像データＰ２から４Ｋの画像データＰ１に切り替えられる。ズーム倍率が２倍から４倍までの間は、図６Ａに示すように、拡大表示されるべき領域が切り出し処理部３６ｂによって切り出されて、切り出し画像Ｐｃが生成される。図６Ａに示した切り出し画像Ｐｃのサイズは、図５Ｃに示した切り出し画像Ｐｃのサイズと同一となる。
【００３６】
ズーム倍率が２倍から４倍までのときには、図６Ａに示すように、４Ｋの画像データＰ１から生成された切り出し画像Ｐｃのサイズは、ビューファインダ９の表示解像度である１Ｋよりも大きい。このため、解像度調整部３６ｃでは、切り出し画像Ｐｃのサイズを縮小することにより、ビューファインダ９に表示させるための表示用画像Ｐ３が生成される。
【００３７】
ズーム倍率が４倍となった時点でも、図６Ｂに示すように、拡大表示されるべき領域が切り出し処理部３６ｂによって切り出されて、切り出し画像Ｐｃが生成される。ズーム倍率が４倍のときには、４Ｋの画像データＰ１から生成された切り出し画像Ｐｃのサイズは、ビューファインダ９の表示解像度である１Ｋと等しくなる。このため、解像度調整部３６ｃでは、切り出し画像Ｐｃのサイズを変更することなく、そのままのサイズで表示用画像Ｐ３が生成される。
【００３８】
ズーム倍率が４倍から８倍までの間も、図６Ｃに示すように、拡大表示されるべき領域が切り出し処理部３６ｂによって切り出されて、切り出し画像Ｐｃが生成される。ズーム倍率が４倍以降となると、４Ｋの画像データＰ１から生成された切り出し画像Ｐｃのサイズは、ビューファインダ９の表示解像度である１Ｋよりも小さくなる。このため、解像度調整部３６ｃでは、切り出し画像Ｐｃのサイズを拡大することにより、ビューファインダ９に表示させるための表示用画像Ｐ３が生成される。
【００３９】
図７は、図５及び図６を参照して説明したズーム表示処理部３６による処理を、フローチャートで示したものである。図７には、ズーム倍率が１倍から８倍まで徐々に上げられた場合における、ズーム表示処理部３６での処理を示している。
【００４０】
ズーム倍率が１倍の状態では、２Ｋの画像データＰ２による画像を縮小することによって、１Ｋの表示用画像Ｐ３が生成される（ステップＳ１）。そして、ズーム倍率が増大されるに従って、設定されたズーム倍率に応じて定まる大きさの領域が、切り出し処理部３６ｂによって切り出され、切り出し画像Ｐｃが生成される（ステップＳ２）。そして、解像度調整部３６ｃによって、切り出し画像Ｐｃを縮小して表示用画像Ｐ３が生成される（ステップＳ３）。
【００４１】
続いて、ユーザによって指定されたズーム倍率が２倍に到達したかが、制御部３６ｄによって判断される（ステップＳ４）。ズーム倍率が２倍を超えない間は、ステップＳ２に戻って処理が続けられる。ズーム倍率が２倍を超えた場合には、切り出し画像Ｐｃとして２Ｋの画像データＰ２から切り出された領域と対応する領域が、４Ｋの画像データＰ１から切り出され、切り出し画像Ｐｃが生成される（ステップＳ５）。そして、解像度調整部３６ｃによって、切り出し画像Ｐｃを縮小することによって、１Ｋの表示用画像Ｐ３が生成される（ステップＳ６）。
【００４２】
そして、ズーム倍率が増大されるに従って、設定されたズーム倍率に応じて定まる大きさの領域が、切り出し処理部３６ｂによって切り出され、切り出し画像Ｐｃが生成される（ステップＳ７）。そして、解像度調整部３６ｃによって、切り出し画像Ｐｃを縮小して表示用画像Ｐ３が生成される（ステップＳ８）。
【００４３】
続いて、ズーム倍率が４倍に到達したかが制御部３６ｄによって判断される（ステップＳ９）。ズーム倍率が４倍を超えない間は、ステップＳ７に戻って処理が続けられる。ズーム倍率が４倍を超えた場合は、設定されたズーム倍率に応じて定まる大きさの領域が、切り出し処理部３６ｂによって切り出され、切り出し画像Ｐｃが生成される（ステップＳ１０）。そして、解像度調整部３６ｃによって、切り出し画像Ｐｃを拡大して表示用画像Ｐ３が生成される（ステップＳ１１）。
【００４４】
上述した実施の形態例によれば、ズーム倍率が２倍を超えた時点で、表示用画像Ｐ３の生成に用いる画像データが、２Ｋの画像データＰ２から４Ｋの画像データＰ１に切り換えられる。これにより、ズーム倍率が２倍以降では４Ｋの解像度な画像を用いたズームが行われるため、ズームによって画像が拡大されても、被写体の細部が高精細に表現されるようになる。
【００４５】
また、上述した実施の形態例によれば、表示用画像Ｐ３の生成に用いられる画像データの切り替えが、ズーム倍率に応じて自動的に行われる。これにより、ユーザが意識して切り替え等の処理を行う必要なく、ビューファインダ９の画面上に表示される画像が、高解像度な画像データＰ１による画像に切り替わる。
【００４６】
また、表示用画像Ｐ３の生成に用いられる画像データを、４Ｋの画像データＰ１に切り換える際には、２Ｋの画像データＰ２による画像から切り出された範囲と同じ範囲の領域が、４Ｋの画像データＰ１による画像から切り出される。つまり、ビューファインダ９の画面に表示される画像の解像度だけが変更され、そのサイズ等は変更されない。このため、２Ｋの画像データＰ２から４Ｋの画像データＰ１への切り替えが行われた際にも、切れ目等が発生することなく、連続的でスムーズなズーム表示が行われる。
【００４７】
＜４．各種変形例＞
なお、上述した実施の形態例では、４Ｋの画像データＰ１と２Ｋの画像データＰ２とを用いて表示用画像Ｐ３を生成した例を挙げたが、これに限定されるものではない。高解像度な画像データと、解像度変換部３４でより低い解像度に変換された画像データであれば、どのような解像度の組み合わせとなってもよい。
【００４８】
また、上述した実施の形態例では、ズーム倍率が２倍になったときに、表示用画像Ｐ３を生成するための画像データを、２Ｋの画像データＰ２から４Ｋの画像データＰ１に切り換える場合を例に挙げたが、これに限定されるものではない。ズーム倍率が３倍になったとき等、他の倍率に設定してもよい。
【００４９】
また、上述した実施の形態例では、選択部３６ａが画像データの切り替えを行うときのズーム倍率として、切り出し処理部３６ｂで切り出された領域の大きさと、ビューファインダ９の画面の表示解像度（本実施の形態例では１Ｋ）とが等しくなるズーム倍率を設定している。しかし、切り出し画像Ｐｃのサイズがビューファインダ９の画面の表示解像度と等しくなっていないタイミングを、画像データの切り替えタイミングとして設定してもよい。
【００５０】
また、上述した実施の形態例では、ズーム倍率が１倍から８倍までである例を挙げたが、ズーム倍率はこれに限定されるものではない。
【００５１】
また、上述した実施の形態例では、画面の拡大又は縮小を行う対象の表示部がビューファインダ９である場合を例に挙げたが、これに限定されるものではない。フォーカス調整時に画像が表示されるものであれば、ＬＣＤ１０やモニタ１１（図１参照）等の、他の表示部又は表示装置であってもよい。
【００５２】
また、上述した実施の形態例では、ズーム表示処理部３６において、選択部３６ａの後段に切り出し処理部３６ｂを設けたが、切り出し処理部３６ｂを選択部ａの前段に設けても良い。この場合は、第１の現像部３３用の切り出し処理部３６ｂと、第２の現像部３５用の切り出し処理部３６ｂとを２つ設ければよい。
【００５３】
なお、本開示は以下のような構成も取ることができる。
（１）レンズによって取り込まれた被写体光を光電変換して画像信号を生成する撮像素子と、
前記撮像素子で生成された画像信号から第１の解像度を有する第１の画像データを生成する第１の現像部と、
前記撮像素子で生成された画像信号又は前記第１の画像データから、前記第１の解像度よりも低い第２の解像度を有する第２の画像データを生成する第２の現像部と、
前記撮像素子による撮影画像の確認用の画面に表示させる範囲として、前記第１の画像データによる画像又は前記第２の画像データによる画像から切り出す領域の大きさに応じて、前記第１の現像部が生成した第１の画像データと、前記第２の現像部が生成した第２の画像データのうちいずれか一方の画像データを選択し、前記選択した画像データを用いて前記撮影画像の確認用の画面に表示させる表示用画像を生成する表示処理部とを備えた撮像装置。
（２）前記表示処理部は、前記第１の画像データ又は前記第２の画像データの各画素を間引く処理又は補間する処理を行うことにより、前記表示用画像を生成する前記（１）に記載の撮像装置。
（３）前記表示処理部は、操作部を介してユーザより入力されるズーム倍率が、所定の倍率である第１の倍率に至るまでの間は、前記第２の画像データを用いて前記表示用画像を生成し、前記ズーム倍率が前記第１の倍率を超えた場合に、前記第１の画像データを用いて前記表示用画像を生成する前記（１）又は（２）に記載の撮像装置。
（４）前記ズーム表示処理部は、前記第１の画像データと前記第２の画像データのうちいずれか１つを選択する選択部と、
前記選択部で選択された画像データによる画像から、前記撮影画像の確認用の画面に表示させる領域の画像を切り出す切り出し処理部と、
前記切り出し処理部で切り出された画像の解像度を、前記撮影画像の確認用の画面の表示解像度に合わせる調整を行う解像度調整部とを有する前記（１）〜（３）のいずれかに記載の撮像装置。
（５）前記操作部を介してユーザより入力されるズーム倍率に基づいて制御信号を生成し、生成した前記制御信号を、前記表示処理部の選択部と、前記切り出し処理部と、前記解像度調整部に供給する制御部をさらに備える前記（４）に記載の撮像装置。
（６）前記第１の倍率とは、前記ズーム表示処理部の前記切り出し処理部で切り出された画像の解像度が、前記撮影画像の確認用の画面の表示解像度と等しくなる倍率である前記（４）又は（５）に記載の撮像装置。
（７）レンズによって取り込まれた被写体光を光電変換して画像信号を生成することと、
前記生成された画像信号から第１の解像度を有する第１の画像データを生成することと、
前記画像信号又は前記第１の画像データから、前記第１の解像度よりも低い第２の解像度を有する第２の画像データを生成すること、
撮影画像の確認用の画面に表示させる範囲として、前記第１の画像データによる画像又は前記第２の画像データによる画像から切り出す領域の大きさに応じて、前記第１の画像データと前記第２の画像データのうちのいずれか一方の画像データを選択し、前記選択した画像データを用いて前記表示用画像を生成することとを含む画像処理方法。
【符号の説明】
【００５４】
１…レンズ、２…撮像素子、３…信号処理回路、４…システム制御部、５…操作部、６…コーデック、８…リムーバブルメディア、９…ビューファインダ、１０…ＬＣＤ、１１…モニタ、３１…補正部、３２…色分離部、３３…第１の現像部、３４…解像度変換部、３５…第２の現像部、３６…ズーム表示処理部、３６ａ…選択部、３６ｂ…切り出し処理部、３６ｃ…解像度調整部、３６ｄ…制御部、３７…制御部、４２…バス、４３…メモリ、１００…撮像装置
【図１】
2014096749.tif 000003
【図２】
2014096749.tif 000004
【図３】
2014096749.tif 000005
【図４】
2014096749.tif 000006
【図５】
2014096749.tif 000007
【図６】
2014096749.tif 000008
【図７】
2014096749.tif 000009